(57)【要約】  【課題】  的確に効果の得られる毛穴の目立ちやすさの改善手段を提供する。  【解決手段】  角栓の状況と毛穴の窪みの状況と毛穴の黒ずみ具合を観察し、１）角栓、毛穴の窪み及び毛穴の黒ずみのいずれもが観察されない段階、２）角栓の形成のみが観察される段階、３）角栓に加えて毛穴の窪みが観察される段階並びに４）角栓が存在せず毛穴、黒ずみが観察される段階の４つの段階に毛穴の状態を分類し、鑑別する。前記鑑別法においては、１）角栓、２毛穴の窪み及び毛穴の黒ずみのいずれもが観察されない段階、２）角栓の形成のみが観察される段階、３）角栓に加えて毛穴の窪みが観察される段階並びに４）角栓が存在せず毛穴、黒ずみが観察される段階の４つの段階の順に毛穴状態の老化度が増加すると鑑別することを特徴とする。  【選択図】  なし【特許請求の範囲】
【請求項１】
角栓の状況と毛穴の窪みの状況と毛穴の黒ずみ具合を観察し、１）角栓、毛穴の窪み及び毛穴の黒ずみのいずれもが観察されない段階、２）角栓の形成のみが観察される段階、３）角栓に加えて毛穴の窪みが観察される段階並びに４）角栓が存在せず毛穴、黒ずみが観察される段階の４つの段階に毛穴の状態を分類されることを特徴とする、毛穴の状態の鑑別法。
【請求項２】
請求項１に記載の毛穴の状態の鑑別法において、１）角栓、２毛穴の窪み及び毛穴の黒ずみのいずれもが観察されない段階、２）角栓の形成のみが観察される段階、３）角栓に加えて毛穴の窪みが観察される段階並びに４）角栓が存在せず毛穴、黒ずみが観察される段階の４つの段階の順に毛穴状態の老化度が増加すると鑑別することを特徴とする、請求項１に記載の毛穴の状態の鑑別法。
【請求項３】
請求項１又は２に記載の毛穴の鑑別法において、角栓の形成のみが観察される段階と鑑別された人に対してのみ、角栓除去用の化粧料を選択し、使用を勧めることを特徴とする、化粧料の選択法。
【請求項４】
前記角栓除去用の化粧料が、炭酸のジエステル及び／又はＮ−アシル化グルタミン酸のジエステルを含有するものであることを特徴とする、請求項３に記載の化粧料の選択法。
【発明の詳細な説明】
【技術分野】
【０００１】
本発明は化粧処置に有用な、毛穴の状態の鑑別法並びに化粧料の選択法に関する。
【背景技術】
【０００２】
毛穴及び角栓は素肌がきれいに見えるかどうかに大きな影響を与えるため、又、生理的にもニキビの形成などへの影響を与える蓋然性が高いため、その処置は化粧料の中では一大テーマとなっている。この様な状況を背景に、毛穴をアミノ酸誘導体を用いて縮小させる技術（例えば、特許文献１、特許文献２を参照）、毛穴に充填された角栓を化粧料で除去する技術（例えば、特許文献３、特許文献４を参照）等が開発されているが、これらの技術が有効な場合も確かに存在するが、無効であったり、又、かえって毛穴の目立つ状況をよけいに悪化する場合も少なくなかった。即ち、的確に効果の得られる毛穴の目立ちやすさの改善手段の開発が望まれていたと言える。
【０００３】
一方、炭酸ジカプリルのような炭酸のジエステルは保湿性のある油性成分として化粧料などに配合されている（例えば、特許文献５を参照）が、角栓を除去する作用については全く知られていないし、Ｎ−ラウロイルグルタミン酸ジ（フィトステリル・オクチルドデシル）等のＮ−アシルグルタミン酸ジエステルは保湿性のある界面活性剤として洗浄料などの化粧料に配合されること（例えば、特許文献６、特許文献７を参照）も知られているが、角栓を除去する作用については知られていない。毛穴を肌性分類の一要素とする技術は知られている（例えば、特許文献８）が、毛穴の状況を更に分類し、その状況に合わせて化粧料を選択する技術について全く知られていない。毛穴を、角栓の状況と毛穴の窪みの状況と毛穴の黒ずみ具合を観察し、１）角栓、毛穴の窪み及び毛穴の黒ずみのいずれもが観察されない段階、２）角栓の形成のみが観察される段階、３）角栓に加えて毛穴の窪みが観察される段階並びに４）角栓が存在せず毛穴、黒ずみが観察される段階の４つの段階に毛穴の状態を分類する方法も全く知られていないし、角栓の形成のみが観察される段階と鑑別された人に対してのみ、角栓除去用の化粧料を選択し、使用を勧める化粧料の選択法も全く知られていない。
【０００４】
【特許文献１】特開２００５−２８１１９７号公報
【特許文献２】特開２００５−１７９３４３号公報
【特許文献３】特開２００５−１４５９８２号公報
【特許文献４】特開２００４−１６１６３１号公報
【特許文献５】特開２００５−１４５９６９号公報
【特許文献６】特開２００２−１０４９５１号公報
【特許文献７】特開２００４−２９２５８４号公報
【特許文献８】特開２００４−２０１７９７号公報
【発明の開示】
【発明が解決しようとする課題】
【０００５】
本発明は、この様な状況下為されたものであり、的確に効果の得られる毛穴の目立ちやすさの改善手段を提供することを課題とする。
【課題を解決するための手段】
【０００６】
この様な状況に鑑みて、本発明者らは、的確に効果の得られる毛穴の目立ちやすさの改善手段を求めて、鋭意研究努力を重ねた結果、毛穴を、角栓の状況と毛穴の窪みの状況と毛穴の黒ずみ具合を観察し、１）角栓、毛穴の窪み及び毛穴の黒ずみのいずれもが観察されない段階、２）角栓の形成のみが観察される段階、３）角栓に加えて毛穴の窪みが観察される段階並びに４）角栓が存在せず毛穴、黒ずみが観察される段階の４つの段階に毛穴の状態を分類し、角栓の形成のみが観察される段階と鑑別された人に対してのみ、角栓除去用の化粧料を選択し、使用を勧めることにより、不必要な人が角栓除去用の化粧料を用いて、誤った化粧処置を行い、かえって肌に負担をかけるのを避けて、角栓除去用の化粧料の効果を十分に発揮させられ、以て、的確に効果の得られる毛穴の目立ちやすさの改善が得られることを見いだし、発明を完成させるに至った。即ち、本発明は、以下に示すとおりである。
（１）角栓の状況と毛穴の窪みの状況と毛穴の黒ずみ具合を観察し、１）角栓、毛穴の窪み及び毛穴の黒ずみのいずれもが観察されない段階、２）角栓の形成のみが観察される段階、３）角栓に加えて毛穴の窪みが観察される段階並びに４）角栓が存在せず毛穴、黒ずみが観察される段階の４つの段階に毛穴の状態を分類されることを特徴とする、毛穴の状態の鑑別法。
（２）（１）に記載の毛穴の状態の鑑別法において、１）角栓、２毛穴の窪み及び毛穴の黒ずみのいずれもが観察されない段階、２）角栓の形成のみが観察される段階、３）角栓に加えて毛穴の窪みが観察される段階並びに４）角栓が存在せず毛穴、黒ずみが観察される段階の４つの段階の順に毛穴状態の老化度が増加すると鑑別することを特徴とする、（１）に記載の毛穴の状態の鑑別法。
（３）請求項１又は２に記載の毛穴の鑑別法において、角栓の形成のみが観察される段階と鑑別された人に対してのみ、角栓除去用の化粧料を選択し、使用を勧めることを特徴とする、化粧料の選択法。
（４）前記角栓除去用の化粧料が、炭酸のジエステル及び／又はＮ−アシル化グルタミン酸のジエステルを含有するものであることを特徴とする、（３）に記載の化粧料の選択法。
【発明の効果】
【０００７】
本発明によれば、的確に効果の得られる毛穴の目立ちやすさの改善手段を提供することができる。
【発明を実施するための最良の形態】
【０００８】
（１）本発明の毛穴の状態の鑑別法
本発明の毛穴の鑑別法は、角栓の状況と毛穴の窪みの状況と毛穴の黒ずみ具合を観察し、１）角栓、毛穴の窪み及び毛穴の黒ずみのいずれもが観察されない段階、２）角栓の形成のみが観察される段階、３）角栓に加えて毛穴の窪みが観察される段階並びに４）角栓が存在せず毛穴、黒ずみが観察される段階の４つの段階に毛穴の状態を分類し、鑑別対象の毛穴がどの段階にあるかを判別し分類することによってなされる。ここで、「毛穴」とは、肌上に存在する一つ一つの毛穴を指し示すこともできるし、個人が蓋然的に有する毛穴のタイプを指し示し、個人の代表要素として扱うことも可能である。化粧料の選択に当たっては後者を用いることが好ましく、前記個人が蓋然的に有する毛穴のタイプとしては、その個人の毛穴の８０％以上が属する毛穴のタイプを用いることが好ましい。これは後記実施例に示す毛穴の状況の年代推移の実態調査より明らかになったものである。即ち、この調査によれば、毛穴の目立ちやすさを指標とすれば、毛穴の状態は次の５つの段階を経て、時系列的に一方向に変化を遂げる。この内、ＩＶの段階とＶの段階は角栓がなく、角栓除去用の化粧料を使用する必要がないという点で共通しており、処置としては同じ段階として扱える。本発明の鑑別法では、ＩＶの段階とＶの段階をあわせて一つの段階として取り扱うことを原則とするが、勿論、この段階を前記のように２つに細分して取り扱うことも、効果上変わりがないので、本発明の技術的範囲に属する。この４つの段階が、前記分類の１）角栓、毛穴の窪み及び毛穴の黒ずみのいずれもが観察されない段階、２）角栓の形成のみが観察される段階、３）角栓に加えて毛穴の窪みが観察される段階並びに４）角栓が存在せず毛穴、黒ずみが観察される段階の４つの段階に対応する。
【０００９】
（毛穴の状態の５つの段階）
I．  キレイな（毛穴の開大が目立たない）鼻
II． 角栓がつまり目立つ毛穴がある鼻（周囲の組織淵の後退が見られない）
III．角栓がつまり＋クレーター構造（周囲の組織淵の後退）がある鼻
IV． 角栓がなくて開大した毛穴が目立つ鼻
V．  明らかに黒い毛のみでの目立ち
【００１０】
即ち、年代別の実態調査の内容を要約すれば、「キレイな頬を持つ被験者は１０代→２０代に向かって急激に減少する。しかしながらその後のこの群の割合はほぼ一定の数をとる。  一方角栓性の毛穴は２０代をピークに一機に増加し４０代へ向けて減少する。また、非角栓性の毛穴の毛穴は４０代を境に急激に増大する。」とまとめることができる。この知見で重要なことは、頬において毛穴ケアは角栓形成が盛んな２０代のケアというものが非常に重要であるということが容易に推察される。とともに、このことは、言い換えれば、１０代を過ぎ２０代においてキレイな肌（毛穴について）保てたとするならば、その後高い確率で毛穴レスの肌を維持できる可能性が高いと思われることである。即ち、１０〜２０代に適切に角栓を処理しておくことにより、段階ＩＩに移行しても段階Ｉへ戻すことができ、毛穴状態の変化を段階Ｉの状態に保つことができる。角栓の形成のみが観察される段階において、角栓除去用の化粧料を集中的に使用し、角栓を除去しておくことが、毛穴の状態を生涯にわたって、前記段階のＩに留めておくことができると言える。
【００１１】
この様な本発明の毛穴の状態の鑑別に用いる手技としては、これまで顔の皮膚の表面の微細構造を観察する手段であれば特段の限定なく用いることができ、例えば、実態顕微鏡を低倍率で用いる方法、ニコン株式会社製の「ＮｉｋｏｎＤ１００（６０ｍｍマクロレンズ）」などの接写レンズを装着したカメラで撮影し、拡大写真を得て、これを用いて解析する方法、モリテックス株式会社などが販売しているビデオマイクロスコープを用いて顔の皮膚の画像をイメージデータとして取り込み、拡大画像を判別して、或いは、イメージデータを適宜加工して判別する方法、或いはシリコーンラバーなどを用いて皮膚よりレプリカ標本を写し取り、この凹部より、毛穴の状態を判別する方法などが例示できる。特に好ましいものは、もっとも実態に近い状態で観察が行える、ビデオマイクロスコープや接写レンズで撮影した写真を用いる方法である。又、この様な分類は、スコアの基準を設けて、角栓の存在状態（存在量）、窪み（クレーター状態）の存在状態（存在量、その程度）、毛穴の開大の程度などを分類しておき、このスコアに照らし合わせて、それぞれの状態を判別し、どの段階に属するかを鑑別すればよい。出現可能性は正規分布に従っていると推定され、これより該スコアは相対的なもので、相互比較ができることから、十分判別できるので、そのスケールの間隔については特段の制限がない。その一例は、後記の図に示す。
【００１２】
（２）本発明の化粧料の選択法
本発明の化粧料の選択法は、前記本発明の毛穴の鑑別法の知見に基づいたものであり、角栓の形成のみが観察される段階と鑑別された人に対してのみ、角栓除去用の化粧料を選択し、使用を勧めることを特徴とする。即ち、１０〜２０代に適切に角栓を処理しておくことにより、毛穴状態の変化を段階Ｉの状態に保つ或いは段階ＩＩに移行した人を段階Ｉに戻すことができる。角栓の形成のみが観察される段階において、角栓除去用の化粧料を集中的に使用し、角栓を除去しておくことが、毛穴の状態を生涯にわたって、前記段階のＩに留めておくことができるという知見を利用することを特徴とする。角栓除去用の化粧料を、前記ＩＶ、Ｖ段階の人に適応すると、この人たちには角栓が存しないことから、その効果は得られない蓋然性が高く、且つ、角栓除去成分の働きで正常部位の保湿成分やエモリエント成分も損なわれてしまうことがあり、化粧料を使用するメリットが低くなるためで、これを防ぐことにより、角栓除去用の化粧料の効果も、通常の化粧料の効果も高めることができ、集団としてみれば、化粧効果の総和が向上する。又、段階ＩＩの人に対しては的確に処置ができるため、段階ＩＩの人を段階Ｉへと戻すとともに、段階ＩＩＩ以降への移行を防ぎ、集団全体としてみればキレイな肌の人の割合が格段に向上すると考えられる。
【００１３】
前記段階ＩＩの人に適用を勧める角栓除去用の化粧料としては、炭酸のジエステル及び／又はＮ−アシル化グルタミン酸のジエステルを含有するものが好ましい。
【００１４】
前記炭酸ジエステル類において、その好ましい含有量は、総量で０．１〜５０質量％、より好ましくは１０〜４５質量％である。前記炭酸ジエステルとしては、例えば、ヘキシルアルコール、カプリルアルコール、カプリニルアルコール、ラウリルアルコール、セチルアルコール、ステアリルアルコール、ベヘニルアルコール、オレイルアルコール、イソステアリルアルコールなどの炭素数、６〜３０の、より好ましくは６〜１０の飽和、不飽和の１価アルコールとのエステル、エチレングリコール、プロピレングリコール、ブタンジオールなどの炭素数２〜４の２価アルコールとのエステルなど好ましく例示でき、中でも、６〜１０の飽和、不飽和の１価アルコールとのエステルが特に好ましく例示できる。具体的な化合物名としては、エチレングリコールとの環状エステルである炭酸エチレン、プロピレングリコールとの環状エステルである炭酸プロピレン、ヘキシルアルコールとの炭酸ジヘキシル、カプリルアルコールとのエステルである炭酸ジカプリル、カプリニルアルコールとのエステルである、炭酸ジカプリニル、ラウリルアルコールとのエステルである炭酸時ラウリルなどが好ましく例示でき、中でも炭酸ジカプリル、炭酸ジカプリニルが特に好ましい。これは、その溶剤効果により、角栓除去効果に優れるためである。
【００１５】
前記アシル化アミノ酸エステルの基体となるアミノ酸としては、通常化粧料で使用されているアミノ酸で有れば特段の限定無く使用することが出来、例えば、アラニン、グリシン、アルギニン、リシン、グルタミン、グルタミン酸、アスパラギン、アスパラギン酸、サルコシン、メチルアミノプロピオン酸などが例示できる。角栓除去効果を高めるために、特に好ましいアミノ酸残基はグルタミン酸残基とサルコシン残基である。又、アシル基としては、炭素数１０〜３０のものが好ましく、例えば、オクタノイル基、デカノイル基、ラウロイル基、ミリストイル基、パルミトイル基、ステアロイル基、ベヘノル基、イソオクタノイル基、イソステアロイル基、オレオイル基、リノロイル基等が好適に例示できる。角栓除去効果を高めるために、特に好ましい基はラウロイル基である。アシル化アミノ酸エステルのエステルを構成する、炭化水素基としては、脂肪族のものが好ましく、脂肪族であれば不飽和結合を有していても良いし、飽和脂肪族であっても良い。炭素数は２〜４０が好ましい。具体的には、エチル基、プロピル基、イソプロピル基、ブチル基、ターシャリーブチル基、ヘキシル基、シクロヘキシル基、ヘキセニル基、オクチル基、デカニル基、ラウリル基、ミリスチル基、セチル基、ステアリル基、ベヘニル基、イソオクチル基、イソステアリル基、ヘキシルデシル基、コレステリル基、フィトステリル基などが好適に例示でき、イソプロピル基、オクチル基、コレステリル基、フィトステリル基などが好適に例示できる。前記アシル化アミノ酸エステルは、アミノ酸とアシルクロリドをアルカリの存在下縮合させ、しかる後に酸やアルカリを触媒とし、アシル化アミノ酸と対応するアルコールを脱水縮合することにより製造することが出来る。アシル化アミノ酸エステルは斯くの如くに製造することも出来るが、既に化粧料原料として市販されているものも存し、かかる市販品を購入して利用することも出来る。好ましい市販品としては、例えば、味の素株式会社から販売されている「エルデュウＳＬ２０５」（Ｎ−ラウロイルサルコシンイソプロピル）や「エルデュウＰＳ２０３」（Ｎ−ラウロイルグルタミン酸ジ（オクチル／フィトステリル）、日本エマルション株式会社製の「アミテルＭＡ−ＨＤ」（ミリストイルメチルアミノプロピオン酸ヘキシルデシル）等が例示できる。かかる成分は角栓を構成する脂肪酸を溶解せしめ、毛穴との接着性を低下させ、角栓が毛穴より離脱しやすい状態に遷移させる作用を発揮する。本発明の化粧料におけるアシル化アミノ酸エステルの好ましい含有量は、総量で、１〜２０質量％であり、より好ましくは２〜１０質量％である。
【００１６】
前記の成分以外に、角栓除去用の化粧料は、通常化粧料で使用される任意成分を含有することができる。この様な任意成分としては、例えば、マカデミアナッツ油、アボガド油、トウモロコシ油、オリーブ油、ナタネ油、ゴマ油、ヒマシ油、サフラワー油、綿実油、ホホバ油、ヤシ油、パーム油、液状ラノリン、硬化ヤシ油、硬化油、モクロウ、硬化ヒマシ油、ミツロウ、キャンデリラロウ、カルナウバロウ、イボタロウ、ラノリン、還元ラノリン、硬質ラノリン、ホホバロウ等のオイル、ワックス類、流動パラフィン、スクワラン、プリスタン、オゾケライト、パラフィン、セレシン、ワセリン、マイクロクリスタリンワックス等の炭化水素類、オレイン酸、イソステアリン酸、ラウリン酸、ミリスチン酸、パルミチン酸、ステアリン酸、ベヘン酸、ウンデシレン酸等の高級脂肪酸類、セチルアルコール、ステアリルアルコール、イソステアリルアルコール、ベヘニルアルコール、オクチルドデカノール、ミリスチルアルコール、セトステアリルアルコール等の高級アルコール等、イソオクタン酸セチル、ミリスチン酸イソプロピル、イソステアリン酸ヘキシルデシル、アジピン酸ジイソプロピル、セバチン酸ジ−２−エチルヘキシル、乳酸セチル、リンゴ酸ジイソステアリル、ジ−２−エチルヘキサン酸エチレングリコール、ジカプリン酸ネオペンチルグリコール、ジ−２−ヘプチルウンデカン酸グリセリン、トリ−２−エチルヘキサン酸グリセリン、トリ−２−エチルヘキサン酸トリメチロールプロパン、トリイソステアリン酸トリメチロールプロパン、テトラ−２−エチルヘキサン酸ペンタンエリトリット等の合成エステル油類、ジメチルポリシロキサン、メチルフェニルポリシロキサン、ジフェニルポリシロキサン等の鎖状ポリシロキサン、オクタメチルシクロテトラシロキサン、デカメチルシクロペンタシロキサン、ドデカメチルシクロヘキサンシロキサン等の環状ポリシロキサン、アミノ変性ポリシロキサン、ポリエーテル変性ポリシロキサン、アルキル変性ポリシロキサン、フッ素変性ポリシロキサン等の変性ポリシロキサン等のシリコーン油、炭酸プロピレン、炭酸ジカプリルなどの炭酸ジエステル類等の油剤類、脂肪酸セッケン（ラウリン酸ナトリウム、パルミチン酸ナトリウム等）、ラウリル硫酸カリウム、アルキル硫酸トリエタノールアミンエーテル等のアニオン界面活性剤類、塩化ステアリルトリメチルアンモニウム、塩化ベンザルコニウム、ラウリルアミンオキサイド等のカチオン界面活性剤類、イミダゾリン系両性界面活性剤（２−ココイル−２−イミダゾリニウムヒドロキサイド−１−カルボキシエチロキシ２ナトリウム塩等）、ベタイン系界面活性剤（アルキルベタイン、アミドベタイン、スルホベタイン等）、アシルメチルタウリン等の両性界面活性剤類、ソルビタン脂肪酸エステル類（ソルビタンモノステアレート、セスキオレイン酸ソルビタン等）、グリセリン脂肪酸類（モノステアリン酸グリセリン等）、プロピレングリコール脂肪酸エステル類（モノステアリン酸プロピレングリコール等）、硬化ヒマシ油誘導体、グリセリンアルキルエーテル、ＰＯＥソルビタン脂肪酸エステル類（ＰＯＥソルビタンモノオレエート、モノステアリン酸ポリオキエチレンソルビタン等）、ＰＯＥソルビット脂肪酸エステル類（ＰＯＥ−ソルビットモノラウレート等）、ＰＯＥグリセリン脂肪酸エステル類（ＰＯＥ−グリセリンモノイソステアレート等）、ＰＯＥ脂肪酸エステル類（ポリエチレングリコールモノオレート、ＰＯＥジステアレート等）、ＰＯＥアルキルエーテル類（ＰＯＥ２−オクチルドデシルエーテル等）、ＰＯＥアルキルフェニルエーテル類（ＰＯＥノニルフェニルエーテル等）、プルロニック型類、ＰＯＥ・ＰＯＰアルキルエーテル類（ＰＯＥ・ＰＯＰ２−デシルテトラデシルエーテル等）、テトロニック類、ＰＯＥヒマシ油・硬化ヒマシ油誘導体（ＰＯＥヒマシ油、ＰＯＥ硬化ヒマシ油等）、ショ糖脂肪酸エステル、アルキルグルコシド等の非イオン界面活性剤類、ポリエチレングリコール、グリセリン、１，３−ブチレングリコール、エリスリトール、ソルビトール、キシリトール、マルチトール、プロピレングリコール、ジプロピレングリコール、ジグリセリン、イソプレングリコール、１，２−ペンタンジオール、２，４−ヘキシレングリコール、１，２−ヘキサンジオール、１，２−オクタンジオール等の多価アルコール類、ピロリドンカルボン酸ナトリウム、乳酸、乳酸ナトリウム等の保湿成分類、グアガム、クインスシード、カラギーナン、ガラクタン、アラビアガム、ペクチン、マンナン、デンプン、キサンタンガム、カードラン、メチルセルロース、ヒドロキシエチルセルロース、カルボキシメチルセルロース、メチルヒドロキシプロピルセルロース、コンドロイチン硫酸、デルマタン硫酸、グリコーゲン、ヘパラン硫酸、ヒアルロン酸、ヒアルロン酸ナトリウム、トラガントガム、ケラタン硫酸、コンドロイチン、ムコイチン硫酸、ヒドロキシエチルグアガム、カルボキシメチルグアガム、デキストラン、ケラト硫酸，ローカストビーンガム，サクシノグルカン，カロニン酸，キチン，キトサン、カルボキシメチルキチン、寒天、ポリビニルアルコール、ポリビニルピロリドン、カルボキシビニルポリマー、ポリアクリル酸ナトリウム、ポリエチレングリコール、ベントナイト等の増粘剤、表面を処理されていても良い、マイカ、タルク、カオリン、合成雲母、炭酸カルシウム、炭酸マグネシウム、無水ケイ酸（シリカ）、酸化アルミニウム、硫酸バリウム等の粉体類、表面を処理されていても良い、ベンガラ、黄酸化鉄、黒酸化鉄、酸化コバルト、群青、紺青、酸化チタン、酸化亜鉛の無機顔料類、表面を処理されていても良い、雲母チタン、魚燐箔、オキシ塩化ビスマス等のパール剤類、レーキ化されていても良い赤色２０２号、赤色２２８号、赤色２２６号、黄色４号、青色４０４号、黄色５号、赤色５０５号、赤色２３０号、赤色２２３号、橙色２０１号、赤色２１３号、黄色２０４号、黄色２０３号、青色１号、緑色２０１号、紫色２０１号、赤色２０４号等の有機色素類、ポリエチレン末、ポリメタクリル酸メチル、ナイロン粉末、オルガノポリシロキサンエラストマー等の有機粉体類、パラアミノ安息香酸系紫外線吸収剤、アントラニル酸系紫外線吸収剤、サリチル酸系紫外線吸収剤、桂皮酸系紫外線吸収剤、ベンゾフェノン系紫外線吸収剤、糖系紫外線吸収剤、２−（２’−ヒドロキシ−５’−ｔ−オクチルフェニル)ベンゾトリアゾール、４−メトキシ−４’−ｔ−ブチル��ベンゾイルメタン等の紫外線吸収剤類、エタノール、イソプロパノール等の低級アルコール類、ビタミンＡ又はその誘導体、ビタミンＢ6塩酸塩，ビタミンＢ6トリパルミテート，ビタミンＢ6ジオクタノエート，ビタミンＢ2又はその誘導体，ビタミンＢ12，ビタミンＢ15又はその誘導体等のビタミンＢ類、α−トコフェロール，β−トコフェロール，γ−トコフェロール，ビタミンＥアセテート等のビタミンＥ類、ビタミンＤ類、ビタミンＨ、パントテン酸、パンテチン、ピロロキノリンキノン等のビタミン類などが好ましく例示できる。これらの成分を常法に従って処理することにより、角栓除去用の化粧料は製造することができる。
【００１７】
以下に、実施例を挙げて、本発明について更に詳細に説明を加えるが、本発明が、かかる実施例にのみ限定されないのは言うまでもない。
【実施例１】
【００１８】
頬部分、鼻頭頂部分にわけて、毛穴の開大要因について、各年代の２４８名のパネラーを用いて、形状の計測を行い、検討を加えた。パネラーの年代構成は以下の通りであった。
（年代構成）
１０代：４２名、２０代：４６名、３０代：５２名、４０代：５０名、５０代：５８名
【００１９】
α：写真による判定
本被験者を顎乗せ台に固定後スピードライト照明下において「Ｎｉｋｏｎ  Ｄ１００」（６０ｍｍマクロレンズ）を用いて撮影された、正面から概ね２０ｃｍの距離において頬部（図１に示す部位）を中心とした写真。
β：ビデオマイクロスコープ拡大画像による判定
モリテックス株式会社製「ｉ−ｓｃｏｐｅ」（×３０倍）を用いて、本被験者頬部（図１に示す部位）の拡大画像
以上α、βの２つの画像データを用いて毛穴の開大形態を分類した。
形状判別として以下に示す（Ｉ）〜（Ｖ）の５つの群を設定し、判別の方法としては角栓のつまりの有無はβを用いて判別。全体的な毛穴の流れの有無はαのデータを用いて判別を行った。解析画像は適宜「ｐｈｏｔｏｓｈｏｐ」（ａｄｂｅ株式会社製）を用いて拡大等を加え判別作業を行った。これらの５つの段階の典型的な標準となる写真は図２〜図６に示す。この写真との比較により、どの段階により近いかを判別し、毛穴の状態を鑑別することができる。
【００２０】
（毛穴の状態の５つの段階）
I．  キレイな（毛穴の開大が目立たない）鼻又は皮膚
II． 角栓がつまり目立つ毛穴がある鼻又は皮膚（周囲の組織淵の後退が見られない）
III．角栓がつまり＋クレーター構造（周囲の組織淵の後退）がある鼻又は皮膚
IV． 角栓がなくて開大した毛穴が目立つ鼻又は皮膚
V．  明らかに黒い毛のみでの目立ち
γ：写真による判定：本被験者を顎乗せ台に固定後スピードライト照明下において「ＮｉｋｏｎＤ１００」（６０ｍｍマクロレンズ）を用いて斜め４５°の角度から概ね３０ｃｍの距離において鼻頭頂部を中心として撮影された画像を用い、頬部と同様に判定を行った。
【００２１】
頬部の結果を図７に示す。この図より、キレイな頬を持つ被験者は１０代→２０代に向かって急激に減少する。しかしながらその後のこの群の割合はほぼ一定の数をとる。  一方図中Ｂに示されるように角栓性の毛穴は２０代をピークに一機に増加し４０代へ向けて減少する。また、非角栓性の毛穴の毛穴は４０代を境に急激に増大する。これらの結果から、頬において毛穴ケアは角栓形成が盛んな２０代のケアというものが非常に重要であるということが容易に推察される。とともに、このことは、言い換えれば、１０代を過ぎ２０代においてキレイな肌（毛穴について）保てたとするならば、その後高い確率で毛穴レスの肌を維持できる可能性が高いと思われる。また３０代からの非角栓性の毛穴目立ちの急増を鑑みると、３０代以降での非角栓性毛穴に対するケアは非常に重要であることが考えられる。
【００２２】
キレイな性状の鼻は２０代において急激に減少する。しかしながら以降の年代においてはその数はほぼ一定の割合をとることが示されている。一方図中Ｂに示されるように角栓性の毛穴は２０代をピークに一機に増加し４０代へ向けて減少する。また図中Ｃに示されるように、非角栓性の毛穴の毛穴は４０代を境に急激に増大する。これらの結果から、鼻においても毛穴ケアは角栓形成が盛んな２０代のケアというものが非常に重要であるということが容易に推察される。それとともに、このことは言い換えれば、１０代を過ぎ２０代においてもキレイな肌（毛穴について）保てたとするならば、その後高い確率で毛穴レスの肌を維持できる可能性が高いと思われる。また３０代からの非角栓性の毛穴目立ちの急増を鑑みると、角栓が消退する３０代以降での非角栓性毛穴に対するケアは非常に重要であることが考えられる。毛の黒さを原因とする毛穴構造の目立ちはすべての年代において極めて少なくケアの対象としては重要ではないことが考えられる。
【実施例２】
【００２３】
下記の表１に示す処方に従って、角栓除去用の化粧料１を作成した。実施例１の段階ＩＩに分類されたパネラーの程度の近似した４名のパネラーを選抜し、２人ずつ２群に分け、１群は角栓除去用の化粧料１を週３回、４週間使用し、角栓を除去してもらい、残りの一群は通常の化粧のままで過ごしてもらった。試験終了後再度写真撮影を行い、頬部の毛穴の状態を判別したところ、化粧料１使用群は２人とも段階Ｉへ移行し、通常の化粧料群の２人は二人とも段階ＩＩのままであった。これより、段階ＩＩにおける角栓除去が化粧行為で重要な価値を有することがわかった。
【００２４】
【表１】
2007192556.tif 000002
【００２５】
（製法）イ、ロ、ハの成分をそれぞれ７０℃に加温し、イの成分にロの成分を攪拌下徐々に加え乳化し、ハの成分を加え中和し、攪拌冷却し角栓除去用の化粧料１を得た。
【産業上の利用可能性】
【００２６】
本発明は、化粧料に応用できる。
【図面の簡単な説明】
【００２７】
【図１】頬部の測定部位を示す図である。
【図２】段階Ｉの標準となる頬部を示す図である。（図面代用写真）
【図３】段階ＩＩの標準となる頬部を示す図である。（図面代用写真）
【図４】段階ＩＩＩの標準となる頬部を示す図である。（図面代用写真）
【図５】段階ＩＶの標準となる頬部を示す図である。（図面代用写真）
【図６】段階Ｖの標準となる頬部を示す図である。（図面代用写真）
【図７】実施例１の頬部の評点分布を示す図である。
【図８】実施例１の鼻部の評点分布を示す図である。
【図１】
2007192556.tif 000003
【図２】
2007192556.tif 000004
【図３】
2007192556.tif 000005
【図４】
2007192556.tif 000006
【図５】
2007192556.tif 000007
【図６】
2007192556.tif 000008
【図７】
2007192556.tif 000009
【図８】
2007192556.tif 000010